(57)【要約】【課題】傘の中軸に対する手元の強固な取付けを可能にしながら、中軸に対する手元の取付けおよび取外しを容易にする。【解決手段】中軸挿入孔を上方に開口させた状態で手元本体３内に固着されたスリーブ部材４が、その周壁に、開口端から軸線方向に所定の深さに延びる縦溝１１と、この縦溝１１の底端から反時計方向に延出する係合凹部１２とを備えており、この係合凹部１２に係入し得る係合ピン６を外周面から突出させた中軸２が、係合ピン６をスリーブ部材４の縦溝１１に沿って下降させる態様で中軸挿入孔に挿入され、次いで反時計方向に回動されて、係合ピン６を係合凹部１２内に係入させた後、縦溝１１に、時計方向への中軸２の回動を阻止し得る取り外し可能な係止部材５を挿入装着する。【選択図】図２
2010214047.tif 000002
【特許請求の範囲】
【請求項１】
中軸挿入孔を上方に開口させた状態で手元本体内に固着されたスリーブ部材が、その周壁に、開口端から軸線方向に所定の深さに延びる縦溝と、該縦溝から第１の周方向に延出する係合凹部とを備えており、該係合凹部に係入し得る係合ピンを外周面から突出させた中軸が、前記係合ピンを前記スリーブ部材の縦溝に沿って下降させる態様で前記中軸挿入孔に挿入され、次いで第１の周方向に回動されて、前記係合ピンを前記係合凹部内に係入させた後、前記縦溝に、前記第１の周方向とは反対の第２の周方向への前記中軸の回動を阻止し得る取り外し可能な係止部材が挿入装着されることにより、手元が中軸に取り外し可能に固定されるようにしたことを特徴とする、傘の手元の取付け構造。
【請求項２】
前記スリーブ部材の縦溝の縁部に、前記係止部材に形成された係合突起が弾性的に係入し得る係合凹部が形成され、該係合凹部に対する前記係合突起の弾性的な係入により、前記係止部材が装着位置に保持されることを特徴とする請求項１記載の傘の手元の取付け構造。
【請求項３】
前記係止部材の一部が前記係合突起を備えた弾性片を形成しており、該弾性片は、前記係合突起が前記スリーブ部材の係合凹部から脱出するように撓まされることにより、前記係止部材の装着位置からの取外しを可能にするものであることを特徴とする請求項２記載の傘の手元の取付け構造。
【発明の詳細な説明】
【技術分野】
【０００１】
本発明は、製作時における組立てが容易であるのみでなく、修理、交換および分解が容易で、分解後は材質別に分別することができ、さらに再利用を可能にすることを目的とした傘に関し、特に中軸(支柱)に対する手元の取付け構造に関するものである。
【背景技術】
【０００２】
通常の傘は、金属製部材（中軸、親骨，支え骨等）と、一般に合成樹脂（以下単に「樹脂」と呼ぶ）からなる非金属製部材（手元、上ろくろ、下ろくろ、シート等）から構成されているが、各部材は恒久的にあるいは分解が極めて困難な状態で連結されている。
【０００３】
したがって、従来の傘は、製作時における組立てに手間がかかるのみでなく、壊れた傘を廃棄する場合に、金属製部材と非金属製部材とを分離して分別廃棄することが困難なため、貴重な資源のリサイクルを困難にしていた。
【０００４】
最近、特に環境汚染問題がクローズアップされている中、傘の分別廃棄を義務付ける地方自治体も多くなってきたために、傘の金属製部材と非金属製部材との分別廃棄を容易にすることが要望されている。また、高級傘においては、修理および部品の交換が容易なことが要望されている。
【０００５】
本出願人等は、先に特許文献１に開示されているような傘の手元の取付け構造を提案した。この傘は、中軸に形成した環状溝に嵌着されたストップリングと手元固定キャップとによって中軸の手元本体からの抜け止め手段を構成するとともに、中軸の下端に形成した切欠きを、手元本体の中軸挿入孔の底端に形成した係合部に係合させて、中軸と手元本体との相対回転を防止している。
【先行技術文献】
【特許文献】
【０００６】
【特許文献１】特開２００８−１２５９５５号公報
【発明の開示】
【発明が解決しようとする課題】
【０００７】
しかしながら、特許文献１に開示された傘の手元取付け構造においては、中軸挿入孔を有する端部に雄ねじを形成するとともに、手元本体の中軸挿入孔の底端に、中軸の下端に対する係合部を形成する必要があった。そのため、手元の取付けおよび取外しが容易であり、かつ中軸に対する手元の回転方向の抵抗力が高いという長所は有するものの、中軸および手元の構造が複雑になるという欠点を有するものであった。
【０００８】
上述の事情に鑑み、本発明の目的は、より簡単な構造を有しながら、中軸に対する手元の強固な取付けを可能にし、かつ中軸に対する手元の取付けおよび取外しを容易にした傘の手元の取付け構造を提供することにある。
【０００９】
なお、以下の説明において、上下方向は中軸の軸線方向を意味し、かつ上部または上方は傘の石突き側を意味し、下部または下方は傘の手元側を意味するものとする。
【課題を解決するための手段】
【００１０】
本発明による傘の手元の取付け構造は、中軸挿入孔を上方に開口させた状態で手元本体内に固着されたスリーブ部材が、その周壁に、開口端から軸線方向に所定の深さに延びる縦溝と、この縦溝から第ｉの周方向（上方から見て例えば反時計方向）に延出する係合凹部とを備えており、この係合凹部に係入し得る係合ピンを外周面から突出させた中軸が、上記係合ピンを上記スリーブ部材の縦溝に沿って下降させる態様で上記中軸挿入孔に挿入され、次いで第１の周方向に回動されて、上記係合ピンを上記係合凹部内に係入させた後、上記縦溝に、上記第１の周方向とは反対の第２の周方向（上方から見て例えば時計方向）への中軸の回動を阻止し得る取り外し可能な係止部材が挿入装着されることにより、手元が中軸に取り外し可能に固定されるようにしたことを特徴とする。
【００１１】
この場合、上記スリーブ部材の縦溝の開口端の縁部に、上記係止部材に形成された係合突起が弾性的に係入し得る係合凹部が形成され、この係合凹部に対する上記係合突起の弾性的な係入により、上記係止部材が装着位置に保持されることが好ましい。
【００１２】
上記係止部材の一部が上記係合突起を備えた弾性片を形成しており、この弾性片は、上記係合突起が上記スリーブ部材の係合凹部から脱出するように撓まされることにより、上記係止部材の装着位置からの取外しを可能にするものであることが好ましい。
【発明の効果】
【００１３】
本発明によれば、手元本体内に固着されたスリーブ部材が、その周壁に、開口端から軸線方向に所定の深さに延びる縦溝と、この縦溝から第１の周方向（上方から見て例えば反時計方向）に延出する係合凹部とを備えており、この係合凹部に係入し得る係合ピンを外周面から突出させた中軸が、上記係合ピンを上記スリーブ部材の縦溝に沿って下降させる態様で上記中軸挿入孔に挿入され、次いで第１の周方向に回動されて、上記係合ピンを上記係合凹部内に係入させた後、上記縦溝に、上記第１の周方向とは反対の第２の周方向（上方から見て例えば時計方向）への中軸の回動を阻止し得る取り外し可能な係止部材が挿入装着されることにより、手元が中軸に固定されるように構成されているから、構造が簡単で、かつ手元の取付けおよび取外しが極めて容易であり、かつ手元が中軸に対して高い軸線方向の抵抗力を有するのみでなく、回転方向にも高い抵抗力を備えることができる。
【図面の簡単な説明】
【００１４】
【図１】本発明による取付け構造を実施した傘の手元部分を示す正面図
【図２】図１の手元部分の一部を断面とした分解正面図
【図３】スリーブ部材の平面図
【図４】手元を中軸に取り付ける第１工程を示す一部を断面とした正面図
【図５Ａ】図４の５Ａ−５Ａ線に沿った拡大断面図
【図５Ｂ】図６の５Ｂ−５Ｂ線に沿った拡大断面図
【図５Ｃ】図８の５Ｃ−５Ｃ線に沿った拡大断面図
【図５Ｄ】図８の５Ｄ−５Ｄ線に沿った拡大断面図
【図６】手元を中軸に取り付ける第２工程を示す一部を断面とした正面図
【図７】手元を中軸に取り付ける第３工程を示す一部を断面とした正面図
【図８】手元が中軸に取り付けられた状態を示す一部を断面とした正面図
【図９】係止部材の抜き出し方法の説明図
【図１０】係止部材の別の構成を示す正面図
【発明を実施するための形態】
【００１５】
以下、図面を参照して本発明による傘の手元の取付け構造の好ましい実施の形態について詳細に説明する。図１は、本発明による取付け構造を実施した傘の手元部分を示す正面図、図２はその一部を断面とした分解正面図である。
【００１６】
図１および図２において、中軸２の下端部に取り付けられる手元１は、手元本体３と、この手元本体３内に挿入固着されたスリーブ部材４と、このスリーブ部材４内に中軸２を固定するための係止部材５とから構成されている。中軸２の外周面には係合ピン６が突設されている。この係合ピン６は必ずしも中軸２に固定されている必要はなく、中軸２に形成した孔に遊びがないように挿入されたものでもよい。
【００１７】
図３に平面図で示されている樹脂製のスリーブ部材４は、その中軸挿入孔１０を上方に開口させた状態で手元本体３内に固着されており、その周壁には、中軸挿入孔１０への中軸２の下端部の挿入時における係合ピン６の通路となる縦溝１１が中軸挿入孔１０の開口端(上端)から軸線方向に所定の深さに形成され、さらにこの縦溝１１の底端からは、上記係合ピン６に係合し得る係合凹部１２が、図３の反時計方向に延出している。スリーブ部材４の縦溝１１の一方の（図の左側の）縁部には、係止部材５に形成された後述する小さい係合突起２３と係合する係合凹部１３が開口端の近傍に形成されている。
【００１８】
スリーブ部材４の縦溝１１に上方から挿入嵌合される樹脂製の係止部材５は、その上端から途中まで縦溝２０が形成されていることにより、縦溝２０の左側の部位の先端が図の右方へ撓み得る弾性片２１を形成しており、かつこの弾性片２１の左側縁部に上述した係合突起２３が突設されている。また、弾性片２１の左側縁部の上端には、傘の分解に際して手元１を中軸から取り外すために、係止部材５の上方への抜出しに用いられる工具３０のピン３１（図９参照）の先端に係合し得る切欠き２２が形成されている。
【００１９】
なお、上記スリーブ部材４は、図示のような上下が開口した円筒体に限定されるものではなく、有底のものでもよい。また、上記係止部材５に形成された係合突起２３は、係止部材５の弾性片２１の弾性的変形によって係合凹部１３への係入および係合凹部１３からの脱出が容易な位置に形成されていればよい。そして係合突起２３の形状は、係合凹部１３からの脱出が容易なような形状、例えば半球状が好ましい。さらに上記切欠き２２は、図９の正面図に示すように、楔状に斜め下方に切り込まれた断面形状を有しているのが好ましい。
【００２０】
以上の構成を有する手元１を中軸２の取り付ける手順は下記の通りである。
【００２１】
（１）先ず手元本体３内に挿入固着されたスリーブ部材４に対して、中軸２の下端部をその係合ピン６がスリーブ部材４の縦溝１１に沿って下降して縦溝１１に達するまで中軸挿入孔１０に挿入し、図４および図５Ａに示す状態とする。
【００２２】
（２）次に、中軸２を図５Ａの反時計方向へ回動させて、図６および図５Ｂに示すように係合ピン６をスリーブ部材４の係合凹部１２に係合させる。
【００２３】
（３）次に、図７に示すように、係止部材５をスリーブ部材４の縦溝１１内に上方から挿入する。その際に、係止部材５の係合突起２３が縦溝１１の開口端の左縁に当接するが、係合突起２３が係止部材５の弾性片２１上に形成されているため、弾性片２１が撓み、係止部材５の縦溝１１内へのさらなる挿入が許容され、係止部材５の下端が縦溝１１の底端に達した時点で、係止部材５の係合突起２３がスリーブ部材４の係合凹部１３内に係入して、係止部材５が縦溝１１内に係止される。同時に、係止部材５の右縁の下端部が係合ピン６に左方から当接して、図８および図５Ｃに示す状態となり、スリーブ部材４に対する中軸２の図５Ｃの時計方向への回動が阻止され、中軸２に対して手元１が強固に固定される。
【００２４】
次に、中軸２に固定された手元１を中軸２から取り外す場合の、係止部材５の抜き出し方法について、図９を参照して説明する。
【００２５】
係止部材５の抜き出しに用いられる工具３０は、係止部材５の弾性片２１の左縁部の上端に形成された切欠き２２に先端部が係入し得るピン３１を備えており、このピン３１の先端部を切欠き２２に係入して弾性片２１を図の右方へ撓ませ、弾性片２１側の係合突起２３をスリーブ部材４側の係合凹部１３から脱出させてから、スリーブ部材４の縦溝１１のコーナー部Ｐを支点として工具３０の手許側を下方へ押すことにより、梃子の原理を利用して係止部材５を縦溝１１内から浮き上がらせることができる。したがって、係止部材５の上端部を掴んで上方へ抜き出すことができ、中軸２をスリーブ部材４から抜き出すことが可能になる。
【００２６】
このようにして、手元１と中軸２とが容易に分離され、中軸と手元１の分別廃棄および手元１の交換等を実行することができる。
【００２７】
なお、上記係止部材５が柔軟性を有する樹脂で形成される場合、縦溝２０は必ずしも上端が上方に開口していなくともよい。例えば図１０に示す係止部材５′のように、縦溝２０′の上端に薄い橋絡部２５を形成していてもよい。その場合も、図９の場合と同様に、工具３０を部分２１′の上端の切欠き２２に作用させることにより、橋絡部分２５がひしゃげて部分２１′が右方へ撓み、係止部材５′を抜き出すことが可能になる。この場合は、縦溝２０′の上端が橋絡部２５により閉塞されているから、見栄えが良くなる効果がある。
【符号の説明】
【００２８】
１    傘の手元
２    中軸
３    手元本体
４    スリーブ部材
５，５′    係止部材
６    係合ピン
１０    中軸挿入孔
１１，２０，２０′    縦溝
１２，１３    係合凹部
２１    弾性片
２２    切欠き
２３    係合突起
２５    橋絡部
３０    工具
３１    ピン
【図１】
2010214047.tif 000003
【図２】
2010214047.tif 000004
【図３】
2010214047.tif 000005
【図４】
2010214047.tif 000006
【図５Ａ】
2010214047.tif 000007
【図５Ｂ】
2010214047.tif 000008
【図５Ｃ】
2010214047.tif 000009
【図５Ｄ】
2010214047.tif 000010
【図６】
2010214047.tif 000011
【図７】
2010214047.tif 000012
【図８】
2010214047.tif 000013
【図９】
2010214047.tif 000014
【図１０】
2010214047.tif 000015